(57)【要約】  この発明は、視聴者をターゲットとし、個別に予定し、ユーザーのコンピューターにインストールされたソフトウェアを介する全てのデスクトップ／ディスプレイ上に／情報／音声／動画／フラッシュ／バナー／内容という形のオフライン広告の表示方式に関連します。この方式は、上記広告を上記ユーザーのデスクトップ上の Active Ad Window(アクティブアドウインドウ)と呼ばれる圧縮、移動、縮小可能なウインドウ表示のステップを含みます。これは完全に独立したソフトウェアなので、ユーザーの PC が継続してインターネットに接続していない状況でも、ユーザー の PC 内のいかなるデータにもアクセスすることなく、コアデータの不正な書き換え、または破損、他のソフトウェアへの妨害などをすることなく、広告を Active Ad Window に表示するために、ユーザーのコンピューターからリモートの位置からリストにアクセスします。上記広告を Active Ad Window(アクティブアドウインドウ)と呼ばれる圧縮、移動、伸縮が可能なウインドウという形で、上記ユーザーのデスクトップの画面の一部に配置します。自動的に上部にある最初の広告が検出、実行されると同時に、少なくともひとつ以上の上記広告に関連のある画像が、上記ユーザーのデスクトップ上の上記の二番目の指定位置に表示されます。
2012519895.tif 000002
【特許請求の範囲】
【請求項１】
ユーザーのコンピュータにインストールされたソフトウェアを使い、デスクトップ／ディスプレイに／情報／音声／動画／フラッシュ／バナー／内容という形でターゲット指定と個別予定されたオフライン広告を表示する方法で次のステップで構成されます：
（a）上記の広告を、ユーザーのデスクトップに Active Ad Window(アクティブアドウインドウ)と呼ばれる、圧縮、移動、伸縮が可能なウインドウにして上記のユーザーのデスクトップに表示する。
（b）これは完全に独立したソフトウェアなので、ユーザーの PC が継続してインターネットに接続していない状況でも、ユーザーの PC 内のいかなるデータにもアクセスすることなく、ユーザー使用中のコアデータの不正な書き換え、または破損、他のソフトウェアへの妨害などをすることなく、広告を Active Ad Window(アクティブアドウインドウ)に表示するために、上記のユーザーのコンピュータから離れた位置から広告リストにアクセスします。
（c）上記の広告を、Active Ad Window(アクティブアドウインドウ)と呼ばれる圧縮、移動、伸縮が可能なウインドウという形で上記ユーザーのデスクトップ画面表示の一部に配置します。
（d）自動的に上記にある最初の広告が検出、実行されると同時に、少なくともひとつ以上の上記広告に関連のある画像が、上記ユーザーのデスクトップ上の上記の二番目の指定位置に表示されます。
（e）広告の表示状況によって、どの広告を最初に引きだし実行するのかを、ソフトウェアが自動で上記リストの中から決定します。
（f）上記にある、一番目の広告の実行が終わると同時に、自動的に上記にある次の広告を検出し実行するだけではなく、上記にある次の広告に関連する画像、または内容を少なくとも一つ以上表示します。
（g）自動的に上記ステップ（e）と（f）を各ユーザーの表示設定に合わせて繰り返します。
（h）インターネットの接続が情報交換中に切れてしまった場合、自動でオンラインウェブサーバーからユーザーPC のソフトウェアデータベースへと情報のアップロード、またはダウンロードが再開されます。
（i）ユーザーの PC がインターネットに接続されると、広告に関連する感想とミ
クロレベルでの視聴者統計が記録され、オンラインウェブサーバーに移行されます。
（j）表示環境の期限が切れたソフトウェアのデータベースからは広告は自動的に削除されます。
【請求項２】
請求項１の方式では、各広告を事前設定された時間と表示環境に従って表示します。さらに、特定の広告は、少なくともひとつ以上ユーザーPC のソフトウェアデータベースに記録されます。
【請求項３】
請求項２の方式では、上記広告は音声や動画データを含み、関連画像と共に、上記ユーザーのコンピュータ画面上の上記の二番目の指定位置で再生／表示されます。
【請求項４】
請求項２の方式では、ソフトウェアがインターネットを介してウェブにつながっていない状態でも、デスクトップコンピュータの Active Ad Window(アクティブアドウインドウ)に上記広告を表示します。
【請求項５】
請求項２の方式には更に次のステップを含みます：
上記リスト内から上記の最後の広告の実行が終わると、５０３で決定した表示環境に基づき、上記ユーザーのデスクトップ／ソフトウェア画面表示上の上記指定位置にて再開始されます。
【請求項６】
請求項５の方式では、実行のため、ユーザーPC 上のソフトウェアデータベースからの上記データを含む上記広告のロードを上記実行ステップ（e）と（g）に含みます。
【請求項７】
請求項１の方式では、Active Ad Window(アクティブアドウインドウ)は PC 画面上に独立ウインドウとして存在します。このウインドウは、上記ユーザーのデスクトップ／ソフトウェア画面内のどの場所にも移動することができ、どんな形や大きさにも変更することができます。Active Ad Window(アクティブアドウインドウ)は、ユーザーの意思で、いつでも起動や終了することができます。
【請求項８】
上記広告は、ディスプレイ機器であれば、コンピュータ画面、携帯画面、テレビなどに表示することが出来ます。
【請求項９】
請求項１の方式では、広告ウインドウはソフトウェア画面上で事前設定された指定位置に開くことができ、どんなソフトウェアとでも併用できます。
【発明の詳細な説明】
【発明の詳細な説明】
【０００１】
〔この発明の分野〕
この発明は、ユーザーの PC がインターネットに接続していない状態からでもオフライン広告をオンラインサーバーからデスクトップ画面に表示する方法に関連した物です。
【０００２】
より具体的には、ターゲットされ、オフラインで、個別に予定された広告や、情報をひとつ以上の、圧縮、サイズ調整、移動可能なウインドウをデスクトップスクリーン／ディスプレイに表示する方法に関連した発明です。
〔この発明の背景〕
ラジオ、テレビ、コンピュータ等のコミュニケーションメディアを使用した広告の配布は確立されています。また、コンピュータの人気と広まりにつれ、広告主はテレビを経由することなく、たくさんの家庭やオフィスに自己製品やサービスの宣伝が出来るようになりました。コンピュータとテレビのコミュニケーションメディアとしての価値にはいくつかの共通点があります。例えば、ウェブサイトでの広告スペースは、テレビ番組での宣伝とほぼ同じように売られます。広告主は、特定のウェブサイトから人気の程度に従って設定された広告スペースを購入できます。この方法は、雑誌やラジオ、テレビにおける広告スペースの売買の性質と似ています。時間帯やプログラムの人気が高いほど、宣伝にかかる料金も高くなります。ウェブサイト上での広告スペースは、自己商品やサービスに関連したグラフィックや文字をサイト内のスペースに直接表示させる場合と、広告の情報を含んだ他のウェブサイトにハイパーリンクさせる場合があります。
【０００３】
オンライン広告とは、顧客を引きつけるため、インターネットとウェブを利用し、販売促進のための宣伝をするためのものです。オンライン広告の例として、検索結果ベージでのコンテンツ連動型広告、バナー広告、リッチメディア広告、ソーシャルネットワーク広告、オンライン案内広告、アドネットワークやスパムメールを含む電子メール広告があります。
【０００４】
オンライン広告の最大の利点は、時間や場所に左右されずに内容や情報を瞬時に発行できることです。双方向型広告の出現により、これまでの中断戦略に慣れてしまっている広告主は、新たな挑戦を余儀なくされます。
【０００５】
これらのメディアの一番重要な違いは、先天的な連想の違いです。テレビが娯楽活動と連想される一方で、コンピュータに向かうということは、固定観念的に仕事と分類されます。
【０００６】
ウェブ上での宣伝が知られる中、デスクトップソフトウェアでの広告には、ウェブ特有の問題が広告主と消費者の両方に生まれます。例えば、デスクトップ使用中のユーザーがインターネットにつながっていない場合はどうなるのか？このユーザーは広告主のターゲットになるのか？そのような場合は、広告の表示はどのように管理するのか？消費者や広告閲覧者はどうやって関連広告を受け取るのか？このように、ユーザーはインターネット経由でウェブへとつながっていない状態でも特定のタスクをデスクトップ上で行っていることを考慮に入れると、広告メディアは困難な問題に直面します。
【０００７】
更に、これはマイクロソフト等のソフトウェア開発者に更なる問題を引き起こします。このような会社は、アドウェア版のデスクトップソフトウェアを開発されることによって、収益が労働を補い、一部では広告を閲覧したことによっ て、ユーザーに通商価値のあり、交換可能な報酬を与えられるような流れにする ために、ビジネスモデルを見直さなければなりません。これにより、ウェブ広告 が増加し消費者の収益が減少することで、デスクトップ／ソフトウェアに広告を 表示する方法を作り出すことが強く求められます。
【０００８】
広告メディアが出現してくるなか、現時点のオンライン広告では効果的に構成された広告視聴の要求を満たすものがありません。また、ユーザーはオフライン状態のコンピュータを使う時間も長いため、オフラインでの宣伝広告は非常に高い可能性を秘めています。しかし、現段階では、一度コンピュータにソフトウェアがインストールされてしまうと、売り手の側から広告を変えたり、足したりする機能はありません。これらの不完全さから、デスクトップソフトウェア内での広告表示を利用し、ビジネスを確立していくという可能性が無駄になっています。
【０００９】
現在、フローティング広告、ポライト広告、トリックバナーやポップアップ等のいくつかの限られたオプションがあります。ユーザーが現存の広告に満足している一方で、タイミングと内容を操作できるシステムは一段と歓迎されるでしょう。
〔先行技術〕
合衆国特許番号 PCT/US2006/015054によると、「１.特定内容広告の表示を促進するシステムは以下を含む：特定内容の広告を受け取り、顧客のコンピュータにある広告の一部を記憶する要素；ユーザーのコンピュータの交流に基づきサブセットから広告を表示する要素。コンテクストは少なくとも次のうちのひとつ以上に関連していること：オンライン／オフライン状況；文字の対話内容；ユーザーの地理、または人口統計情報。
【００１０】
合衆国特許番号 5,959,623 によると、「ユーザーコンピュータがエンドユーザーのアプリケーションプログラムを実行している間に、上記のユーザーコンピュータディスプレイに情報画像を表示するコンピュータ実行方式。方式は以下のステップを含む：(a)上記ユーザーコンピュータの一番目の指定位置に上記エンドユーザーのアプリケーションプログラムに関係する画像を表示する。(b)少なくともひとつ以上の下記データとの関連画像の表示を操作するための、データとアプレットを含む上記の各広告に、リスト上の広告を実行するため、上記ユーザーコンピュータから離れた位置からアクセスすること。(c)上記リスト内から自動で最初の広告を見つけること。(d)下記の２番目の指定位置に当てはまる上記広告関連画像を表示するため、上記ユーザーのディスプレイに２番目の指定位置をつくること。(e)上記の２番目の指定位置に少なくともひとつ以上、上記の広告関連画像が表示される上記にある最初の広告を自動で検出し、実行すること。(f)自動で上記リスト内の広告から次の広告を検出し実行すること。(g)前の広告の実行が完了すると同時に、自動で上記にある次の広告と、その広告の関連画像を検出し実行する；(h)上記リスト内の全ての広告が実行されるまで上記ステップ(f)と(g)を繰り返すこと。(i)上記のステップ(e)(f)(g)(h)を実行しながら、上記の１番目の指定位置に上記のエンドユーザーのアプリケーションプログラムに関連した画像、上記の２番目の指定位置に、上記にある広告関連画像を同時に表示すること。
【００１１】
合衆国特許番号 6,216,141 によると、「ユーザーコンピュータのデスクトップウインドウにドキュメントを表示する方式。方式は以下のステップを含む：ユーザーコンピュータからコンピュータネットワークに接続する。コンピューターネットワークは複数の内容提供者に関連する複数のサーバーコンピュータを持つ。ユーザーが二つ以上の内容提供者、または内容提供者に関連したストーリーを選択、または選択解除できるコンピュータネットワークからの内容提供者リストを含むチャンネルガイドを検出する。チャンネルガイドは、ユーザーが内容提供者を選択した後も表示される。これによって、ユーザーはいくつもの内容提供者をチャンネルガイドから選択することができ、同時に選択された内容提供者は全て選択された状態のままになる。ユーザーが選んだストーリーを含むチャンネルガイドからユーザーが選んだものを記憶する。記憶した選択内容を読み取り、選ばれた内容提供者に関連するアドレスを取得する。チャンネルガイドから選んだストーリーを含む、記録した選択内容を検出する。ストーリーとデスクトップウインドウが同じウインドウに表示されるように、検出されたストーリーをデスクトップ上に統合する。
〔この発明の目的〕
上記の方法と先行技術システムは、それに従うことがいかに複雑、困難、そして厄介なことかを公表したものであり、効率的かつ必要不可欠な解決策を広告産業に提供したものではありません。
【００１２】
したがってこの発明の目的は、広告主が広告閲覧者を、構成や指定でき、ソフトウェアのユーザーが広告の閲覧や評価ができ、利益を受け取れる新しい形の宣伝広告用コンピュータ基盤のメディアを広告主に届けることです。
〔この発明の概略〕
Active Ad Window(アクティブアドウインドウ)はデスクトップ内のオフライン広告という新しいコンピュータ基盤のメディアであり、独立のブラウザーである Internet Explorer、 Mozilla Firefox、Netscape Navigator 等のインターネットブラウザーを利用しません。Active Ad Window(アクティブアドウインドウ)は広告表示ソフトウェアとして独立しています。他のソフトウェアの機能に全く影響を及ぼすことなくソフトウェア画面の一部として、どんなデスクトップソフトウェアとも併用することができます。
【００１３】
この発明は、時間設定やターゲット指定された広告／画像／情報／オーディオ／映像を取得し、伸縮可能サイズへの変換とコンピュータ画面上のActive Ad Window(アクティブアドウインドウ)と呼ばれるウインドウの配置を可能にします。これらのウインドウはアプリケーション画面表示の一部に重なります。広告主によって設定されたソフトウェアユーザーの位置、指定日時の賢い広告表示機能、一日の表示回数、広告終了までの表示回数、優先広告の賢い表示機能、ユーザーカテゴリーの賢い表示などの要因からターゲット指定された広告の表示を利用し、視聴者へ効率よく配分されるようになっています。
【００１４】
Active Ad Window(アクティブアドウインドウ)はユーザーの好みにより、コンピュータ画面上のどの場所にも動かし、設置することができます。Active Ad Window(アクティブアドウインドウ)ソフトウェアを使用するためには、ユーザーはソフトウェアの売り手のオンラインウェブサーバーに登録しなくてはなりません。インターネットが接続されると、オンラインアドサーバーから Active Ad Window(アクティブアドウインドウ)ソフトウェアへの広告のダウンロード 始まります。ユーザーがソフトウェアにログインすると、各ユーザー用に設定さ れた広告が、Active Ad Window(アクティブアドウインドウ)に表示されます。PC 内のユーザーのデータが Active Ad Window(アクティブアドウインドウ)ソフト ウェアによって侵害されることはありません。
【００１５】
この実施例では、インターネット接続が可能な時、Active Ad Window(ア クティブアドウインドウ)ソフトウェアは：
(i)オンラインウェブサーバーからソフトウェアデータベース、すなわち Local Active Ad Server に新しい広告と情報をダウンロードする。
(ii) オンラインアクティブアドサーバーへ、オンライン視聴者の統計、関連情報、クリック回数や広告を見たユーザーからの感想をアップロードする。
【００１６】
方式は、デスクトップオフライン広告表示 Active Ad Window(アクティブ アドウインドウ)の創作、広告や情報表示の選択方法、表示された広告画像に関 連した追加情報へのアクセス方法を定義します。データポインターは特定の広告画像、ユーザーへの表示が個別に設定してある情報を指します。好ましい実施例では、ユーザーはコンピュータに向かったまま Active Ad Window(アクティブアドウインドウ)を開き、表示可能な広告を閲覧することもできます。更に、広告の拡大や、広告への感想を書くこともできます。
【００１７】
この状態の主要な利点は、広告をダウンロードするために一度だけ帯域幅が使用され、オンラインインターネット広告で必要とされる帯域幅と比較して非常に小さいインターネット帯域幅がオンライン広告において繰り返し使用されるという点です。
２．随時インターネットに接続している必要はありません。
３．この情報交換のプロセスは、Active Ad Window(アクティブアドウインドウ)が作動していない状態でも実行します。このプロセスはバックグラウンドで行われます。情報交換プロセスの詳細は図表のイラストで説明されています。
４．ユーザーの PC にインストールされているソフトウェアから広告を取得することは、広告を何度か表示するためにインターネットに接続するより簡単です。
５．オンライン広告では視聴者の統計を記録するのは困難ですが、デスクトップソフトウェアからならユーザーの統計は簡単に記録でき、オンラインサーバーに簡単にアップデートできます。広告主は視聴者の統計の詳細を見ることができます。オンライン広告では、これらの統計を記録することは不可能です。
【００１８】
ユーザーはこれらの広告に、使用中のアプリケーションを閉じることなく自らアクセスすることが可能です。Active Ad Window(アクティブアドウインドウ)はソフトウェアユーザーを妨害することはなく、広告を閲覧したくないときはいつでも閉じることができます。また、Active Ad Window(アクティブアドウインドウ)の特徴は、どのデスクトップソフトウェアにも対応することができます。この場合、ウインドウは特定のソフトウェア画面の一部になります。
【００１９】
今回の発明では、ソフトウェア登録時にユーザーの情報を収集します。これにより、広告主は、医者、金融アナリスト、学生、若者、弁護士、主婦や女性労働者といったカテゴリー別ユーザーに的を絞り広告を表示することができます。
【図面の簡単な説明】
【００２０】
この発明の追加対象と機能は、説明の詳細と追加の請求項を図面と一緒に見ることでより分かりやすくなります。ここで:
【図１】図１はオンラインアプリケーションへのログイン、Online Active Ad Server への広告情報の記録の追加や管理のプロセスを表しています。
【図２】図２は Local Active Ad Server と呼ばれる、ユーザーの PC にインストールされたソフトウェアのデータベースにオンラインアクティブウェブサーバーから新しい広告や情報がダウンロードされるプロセスを表しています。
【図３】図３は個々で予定されている広告や情報が Active Ad Window(アクティブアドウインドウ)に表示されるプロセスと、広告クリック回数、もしくは感想を書いたユーザーに報酬ポイントが配分されるプロセスを表しています。
【図４】図４は報酬ポイント、感想、広告クリック回数、広告表示回数がローカルアクティブアドサーバーからオンラインアクティブアドサーバーへアップロードされる方式の解説を表しています。
【図５】図５はオンラインアクティブアドサーバーからローカルアクティブアドサーバーへ、ローカルアクティブアドサーバーからオンラインアクティブアドサーバーへと情報が交換されるプロセスを表しています。
【図６】図６は LAAS と OLAAS ソース API を経由した、LAAS と OLAAS データベース間での通信を表しています。
【図７】図７はデスクトップスクリーン上で、Active Ad Window(アクティブアドウインドウ)がどの様に見えるかを表示したものです。
【発明を実施するための形態】
【００２１】
〔この発明の説明〕
このアプリケーションプログラムは Microsoft. NET プログラミング言語を使い書かれたバイトコードプログラムです。
【００２２】
図１にあるように、ユーザーは１０１を経由したオンラインアクティブアドサーバー５０２にアクティブアドデータをウェブインターフェイスからアップロードします。ウェブインターフェイスにアクセスするため、ユーザーネームとパスワードを１０２に入力します。ユーザーはログインデータを入力し、ログインボタンをクリックします。ログイン照合を１０３と１０４が行い、ユーザーの照合を確認します。リンク１０５が照合確認済みのユーザーにのみインターフェイスをロードし、５０２に広告情報を追加します。情報は、画像、動画、音声、広告の予定の詳細、広告アップロード状況、広告主が提供した感想記入表を含みます。クラスローダがユーザーのアドレススペースに広告クラスオブジェクトをロードし、インターフェイスにインプットフィールドを取得します。ユーザーは広告情報を１０７に登録し、クラスが照合機能を使い、ロードされた各アイテムに関連する１０８方式の整合性を照合します。１０９方法の照合に成功すると、１１０が一般的に方式と呼ばれる提出手順の実行を始めます。プログラムはプログラムエクスキューターの取得によって実行されます。好ましい実施例では、広告データは商品やサービスの、画像／フラッシュ／音声／動画／内容を含むこともあります。音声データは、声や音楽、又は画像／フラッシュと調和する他の音声シグナルの録音再生等を含みます。広告はオンラインアドサーバーから直接ソフトウェアに取り入れられることもあります。また、広告は、広告を広告ブラウザーに表示させる広告ブラウザーアプリケーションから見ることもできます。
【００２３】
図５にあるように、２番目の情報サーバーである５０４は、ソフトウェア の必需品で解説された全てのサーバーハードウェア要素と、広告データ構成を入 れる記憶領域を含む、オンライン情報サーバー５０２を経由してインターネットに接続しています。
【００２４】
図２にあるように、インターネット接続有効性を確認するクラス２０２は定期的に発動し、ユーザーがインターネットに接続しているかを確認します。２０２はロードされたオブジェクトクラスに関連する方式の整合性を、インターネットの接続状況確認のため２０３を、ＡＰＩ によって確認された広告ダウンロード予定の基盤を照合します。OLAAS で新しい広告が入手可能な場合、ＡＰＩ２０５が５０２と５０４から広告データをダウンロードします。通信中にインターネットの接続が切れた場合は、インターフェイス２０３がインターネットの接続を確認次第、インターフェイスプログラム２０２がダウンロードを再開します。
【００２５】
図３にあるように、ソフトウェアのユーザーは、Active Ad Window (アクティブアドウインドウ)にログインするため、デスクトップ環境内で Active Ad Window (アクティブアドウインドウ)を開くために３０１をクリックします。クラス３０２は、移動可能アクティブアド設定ウインドウ７０４を構成している、移動可能 Active Ad Window (アクティブアドウインドウ)を表示します。ユーザーは複数の異なるサイズの広告ウインドウを選ぶことができます。クラス３０３は、広告ウインドウサイズ選択の方式を含みます。クラスローダが広告ウインドウ設定クラスオブジェクトをユーザーのスペースに読み込み、インターフェイス上のインプット設定を取得します。読み込みが成功すると、移動可能アクティブアド設定ウインドウ７０４はシステムトレーに最小化されます。クラス３０４は、広告主により事前に予定された、ユーザーのデスクトップに予定通りに移動可能 Active Ad Window (アクティブアドウインドウ)を開くために関連したデータ、広告画像、フラッシュを表示するための方式を含みます。クラス３０４は、５０３で上げられた表示要素に関連したオペレーショナルパラメーターを定義します。５０４での広告カウントがゼロの場合、場をつなぐための広告がユーザーの Active Ad Window (アクティブアドウインドウ)に表示されます。
【００２６】
クラス３０４は画像、フラッシュ、その他７０２上の Active Ad Window (アクティブアドウインドウ)に表示されるものに関連するデータを表示する方式 を含みます。クラス３０４は図７にある、７０２に表示された画像／フラッシュ の表示時間に関連するオペレーショナルパラメーターを定義すると共に、アク ティブアドによって発動される画像／フラッシュ／動画／音声のプレゼンテー ションタスクの実行ルーティンの記憶手順を含みます。
【００２７】
ローカルアクティブアドサーバー５０４に入手可能広告がない場合は、場をつなぐための広告が７０２に表示されます。
Active Ad Window(アクティブアドウインドウ)にユーザーが興味のある広告が表示された場合、マウスのポインターを興味のある内容の広告上に動かします。これにより306 方式が発動します。アクティブアドが拡大されたポップアップウインドウに表示されます。
【００２８】
ユーザーが広告主に広告を書くためにリンク３０９をクリックした場合、感想ウインドウ３１０が表示されるよう、感想方式が発動します。ユーザーは必要な情報を書き込み、Local Active Ad Server(ローカルアクティブアドサーバー)５０４に感想を記録するために送信ボタンをクリックします。これにより感想を書いて得た未収の報酬ポイントを保存するため、方式３１１が起動します。
【００２９】
２０５を経由し、５０４から５０２に情報を移動する初段階として、クラス４０１がユーザーのコンピュータのインターネット接続状況確認のため実行されます。好ましい実施例では、クラスローダ４０２が４０１に続き起動され、バイトコードプログラム認証機能がロードされた各対象物に関連する全ての方式の整合性を認証します。全ての方式の認証に成功した場合、４０３が発動し、インターフェイス２０５を通し、５０４から５０２へのユーザー未収のポイントがアップロードされます。プロセス中にインターネット接続が中断された場合、インターフェイスプログラム４０３がインターネット接続を確認次第、インターフェイスプログラム４０１がアップロードを再開します。
【００３０】
図６は、LAAS と OLAAS ソース ＡＰＩ での、LAAS データベースと OLAAS データベース間のコミュニケーションを表したものです。オンラインアクティブアドサーバーソース API６０２は、予定された広告のダウンロードを行うため、OLAAS データベース６０１と通信します。API インターフェイスは LAAS ソースAPI６０５を経由し、LAAS データベース６０６にて、OLAAS ソース API６０２に広告状況の情報を提供します。その後、広告は OLAAS と LAAS API ソースを経由し、OLAAS データベース６０１から LAAS データベース６０６へと手順６０４の実行が始まることにより、OLAAS データベーステーブル６０３からダウンロードされます。
【図１】
2012519895.tif 000003
【図２】
2012519895.tif 000004
【図３】
2012519895.tif 000005
【図４】
2012519895.tif 000006
【図５】
2012519895.tif 000007
【図６】
2012519895.tif 000008
【図７】
2012519895.tif 000009
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
登録された広告視聴者が広告を受け取り視聴することの適格性を決定し、実行時の動的な表示スケジュールを作成し、広告主に以下に示す項目からなる、制御された広告の配布機構、方式を提供する方式：
１．関連する広告ファイル、回答、質問、アンケートおよび各種の広告主からの情報を含む、広告と関連情報をリモートサーバーのデータベースに受け取り保存すること。
【請求項２】
登録プロフィールに設定された登録ユーザーの年齢、性別、趣味や好み、固定および各種の人口動態、スレッドが表示される日付、一日あたりの広告表示数、毎日広告を表示しなければならない目標ユーザー数、広告が失効するまでの表示回数の合計、広告表示の優先順位、広告が表示されるユーザー分類、2つの同一の広告間での最小の時間間隔後の広告表示、登録ユーザーを確認する広告表示、広告主がフィードバックを受け取ることを希望する登録ユーザーの区分などの、広告主の広告表示目標の条件を受け取る請求項１の方式。
【請求項３】
請求項２で定義されるように広告主によって設定された目標の条件に基づいて、登録ユーザーデータベースから適格性のある目標ユーザーを特定し、そのユーザーに広告をダウンロードし視聴するために利用可能とし、各特定のユーザーに広告を表示するスケジュールを定義すること。
【請求項４】
そこで、ローカルな広告受信箱からユーザーに選択した広告を表示するには、(a) 請求項２で定義されるように広告主によってスケジュールが設定されるのみならず、また、(b) コンピュータの電源が投入される時間の履歴的なパターンに基づく方法。
【請求項５】
登録ユーザーのインターネットへの接続がなされると、目標としスケジュールされた広告とその情報を登録ユーザーのコンピュータのローカル受信箱にダウンロードすること。
【請求項６】
動的にスケジュールされ相互的な広告のオフラインでの広告表示で、広告とユーザーがフィードバック、もしあれば、を提供するためのそのフィードバックインターフェイスが、ローカル受信箱から移動、縮小可能な動的なサイズのインターフェイスとして表示されること。
【請求項７】
関連するユーザーに登録された広告のクリックとフィードバックイベントを捕捉し、これらの統計とフィードバックをその特定の広告を宣伝したことに関連する広告主に送信する方法。
【請求項８】
閲覧を希望する広告の、広告分類に対するユーザーの興味と好みを定期的に収集し保存し、ソフトウェアの登録中や、またソフトウェでユーザーに提供される好みを何時でも修正できるインターフェイスを通じて、従ってユーザーの広告における経験を強化しまた広告表示の無駄を最小化する方法。
【請求項９】
広告が広告視聴者にすでに到達した場合であっても広告主の要求に基づき広告表示を無効にする方式。広告主からの広告取り消し後にユーザーのコンピュータのインターネット接続がなされた場合、命令がダウンロードされ取り消された広告の更なる表示が停止します。
【請求項１０】
データセキュリティを確実にし、ソフトウェアの重複を避け、ソフトウェアがインストールされたコンピュータを決定し、またユーザーをユニークに特定し、上述の考え方が完全で、誰にでも扱え、商業的に実行可能な解決策となる方式。この方式はわれわれのその他の番号（PCT/IB2010/052959 およびPCT/IB2010/052978）を持つ申請した特許の中で詳細に説明されます。上記の考え方は、ユーザーがダウンロードして広告を見ることを奨励するために、ユーザーに報奨と便益をもたらします。視聴統計と報奨の正確な会計は計算し維持されなければなりません。またそれができない場合は、商業的に実行可能でない不完全な解決策となります。
【国際調査報告】
2012519895.tif 000010